(57)【要約】【課題】資材の保管や運搬を効率的に行なうことができ、誰にでも簡単に組み立てられ、緩衝性に優れた室内スポーツ競技用土台を提供する。【解決手段】多数枚の段ボール製仕切板１，２に切溝３を設け、これらの仕切板１，２を切溝３で井桁状に噛み合わせて受架体４を形成し、受架体４上に、段ボール製敷板５、木製敷板６及び段ボール製敷板７を順次重なるようにそれぞれ多数枚敷き詰めて複層構造とした天板８を載置する。細分化された板状の部材から構成されるので、解体状態での保管や運搬に際して、嵩張ることがなく、特殊な技能をもたない者にも簡単に組み立てることができる。また、仕切板１，２及び敷板５，７の段ボールがクッションとなって、競技の際の衝撃が緩和されるほか、木製敷板６により曲げ強さも確保され、開会式等のイベント時に多数の者が載って大きな荷重が作用しても、耐えることができる。【選択図】図２
2010065491.tif 000002
【特許請求の範囲】
【請求項１】
多数枚の段ボール製仕切板(1,2)に切溝(3)を設け、これらの仕切板(1,2)を切溝(3)で井桁状に噛み合わせて受架体(4)を形成し、この受架体(4)上に、段ボール製敷板(5)、木製敷板(6)及び段ボール製敷板(7)を順次重なるようにそれぞれ多数枚敷き詰めて複層構造とした天板(8)を載置した室内スポーツ競技用土台。
【発明の詳細な説明】
【技術分野】
【０００１】
この発明は、体育館等の室内で行なわれるレスリング等の競技に使用するため、床上に設置する土台に関するものである。
【背景技術】
【０００２】
従来、柔道用の畳として、下記特許文献１には、ポリスチレン発泡体の上下にポリプロピレンの段ボールシートとポリエチレン発泡体とを順次積層して畳床を形成し、この畳床を畳表で被覆して形成したものが記載されている。このような畳は、体育館等の床上に直接敷き詰められる。
【０００３】
一方、高校総体や国体等の競技会において、体育館等の室内で行なわれるレスリングの競技会場には、観覧性を考慮して、床上に高さ６０ｃｍ程度の土台が設置され、その上にマットが載置される。
【０００４】
この土台としては、通常、ブロック状のポリスチレン発泡体を多数並べたものや、鉄パイプを組み立てた構造物が使用される。
【０００５】
【特許文献１】実開平７−５６６７号公報
【発明の開示】
【発明が解決しようとする課題】
【０００６】
しかしながら、上記のように、ポリスチレン発泡体を多数並べる土台では、ポリスチレン発泡体が非常に嵩張るため、その運搬に多大な手間とコストを要するほか、大会の期間外に保管しておく際、広大なスペースを要し、その保管コストも問題となる。
【０００７】
また、鉄パイプの構造物では、組み立てに特殊な技能を有する作業員を必要とし、大会の関係者やボランティアだけでは対処できないという問題があるほか、競技での使用時における緩衝性にも乏しいという問題がある。
【０００８】
そこで、この発明は、資材の保管や運搬を効率的に行なうことができ、誰にでも簡単に組み立てられ、緩衝性に優れた室内スポーツ競技用土台を提供することを課題とする。
【課題を解決するための手段】
【０００９】
上記のような課題を解決するため、この発明に係る室内スポーツ競技用土台は、多数枚の段ボール製仕切板に切溝を設け、これらの仕切板を切溝で井桁状に噛み合わせて受架体を形成し、この受架体上に、段ボール製敷板、木製敷板及び段ボール製敷板を順次重なるようにそれぞれ多数枚敷き詰めて複層構造とした天板を載置したのである。
【発明の効果】
【００１０】
この室内スポーツ競技用土台は、細分化された板状の部材から構成されるので、解体状態での保管や運搬に際し、嵩張ることがなく、仕切板を噛み合わせた受架体に、段ボール製及び木製敷板を積層した天板を載置するだけで、特殊な技能をもたない者にも簡単に組み立てることができる。
【００１１】
また、受架体の仕切板及び天板の敷板として使用する段ボールがクッションとなって、競技の際の衝撃が緩和されるほか、木製敷板により天板の曲げ強さも確保され、開会式等のイベント時に多数の者が載って大きな荷重が作用しても、耐えることができる。
【発明を実施するための最良の形態】
【００１２】
以下、この発明の実施の形態を添付図面に基づいて説明する。
【００１３】
この室内スポーツ競技用土台は、図５に示すように、体育館等の室内で行なわれるレスリングの競技用として、その会場の床上に設置されるものである。
【００１４】
この土台を組み立てるには、まず、図１に示すように、多数枚の段ボール製仕切板１，２の上辺又は下辺に切溝３を設けておき、これらの仕切板１，２を切溝３で直交するように井桁状に噛み合わせて受架体４を形成する。
【００１５】
仕切板１は、横幅が仕切板２の約２倍の大きさとされ、仕切板１は２本の切溝３を、仕切板２は１本の切溝３を有するものとされている。受架体４の形成に際しては、仕切板１を千鳥状にずらして２枚重ね、各列端部の仕切板１に仕切板２を重ねる。
【００１６】
仕切板１，２の材料には、ＡＢ段の複両面段ボールを使用し、その段目は上下方向に向くようにする。
【００１７】
次に、図２及び図３に示すように、この受架体４の上に、段ボール製敷板５、木製敷板６及び段ボール製敷板７を順次重なるようにそれぞれ多数枚敷き詰めて、３層構造とした天板８を載置する。
【００１８】
下層となる敷板５は、ＡＢ段の複両面段ボールを材料とし、受架体４の縦横数枚の仕切板１，２に跨る大きさの正方形とされている。
【００１９】
中層となる敷板６は、木製の合板とされ、単位面積当たりの重量が段ボールより大きいことから、敷板５よりも小さい長方形とされている。
【００２０】
上層となる敷板７は、ＡＡＡ段の複々両面段ボールを材料とし、敷板５と同一の大きさ及び形状とされている。
【００２１】
そして、図４に示すように、敷板７同士を粘着テープＴで固定すると共に、その粘着テープＴを、天板８の周縁部で敷板６及び５へ巻き付ける。
【００２２】
なお、受架体４と天板８とは、天板８に作用する荷重により、敷板５に仕切板１，２が食い込んで、水平方向のずれが防止されるので、特に固定する必要はない。
【００２３】
その後、図５に示すように、受架体４の周囲に幕布９を張り、天板８上にカーペット１０を敷設して、マット１１を作成固定すると、レスリング用の土台が完成する。
【００２４】
上記のような土台は、細分化された板状の部材である仕切板１，２及び敷板５，６，７から構成されるので、解体した状態で嵩張ることがなく、容易かつ効率的に運搬することができ、保管に広大なスペースを要することもない。
【００２５】
また、仕切板１，２を噛み合わせた受架体４に、敷板５，６，７を積層した天板８を載置するだけで、特殊な技能をもたない者にも簡単に組み立てることができる。
【００２６】
また、受架体４の仕切板１，２及び天板８の敷板５，７として使用する段ボールがクッションとなって、競技の際の衝撃が緩和されるほか、木製の敷板６により天板８の曲げ強さも確保され、開会式やチアリーディング等のイベント時に多数の者が天板８に載って大きな荷重が作用しても、耐えることができる。
【００２７】
さらに、上記組立過程とは逆の手順により、大会終了後には、簡単かつ迅速に解体して撤収することができる。
【図面の簡単な説明】
【００２８】
【図１】この発明に係る室内スポーツ競技用土台の受架体の組立過程を示す斜視図
【図２】同上の敷板の敷き詰め過程を示す斜視図
【図３】同上の受架体に天板を載置した状態の拡大断面図
【図４】同上の土台の仕上げ過程を示す斜視図
【図５】同上の土台の完成状態を示す斜視図
【符号の説明】
【００２９】
１，２  仕切板
３  切溝
４  受架体
５  敷板（下層段ボール製）
６  敷板（中層木製）
７  敷板（上層段ボール製）
８  天板
９  幕布
１０  カーペット
１１  マット
【図１】
2010065491.tif 000003
【図２】
2010065491.tif 000004
【図３】
2010065491.tif 000005
【図４】
2010065491.tif 000006
【図５】
2010065491.tif 000007